(57)【要約】【課題】装置本体のデザイン上の制約を小さくすることができる充電式映像表示装置を提供すること。【解決手段】装置本体２と充電台３を有して構成される充電式映像表示装置としてのテレビ１であって、前記装置本体２が、二次電池１２を内蔵し後部に受電端子１５を有する筐体部４と、前記充電台３に取り付けられる脚部５を有し、前記筐体部４の背面側に、前記脚部５を回動軸Ｘ回りに回動可能に設け、この回動軸Ｘ上に前記受電端子１５を設け、前記充電台３が給電端子３２を有すると共に、前記脚部５の基端側である基軸部１８に一対の第一掛部２２を設け、前記脚部５の先端側に第二掛部２４を設け、前記充電台３の正面である前壁２７Ａに、前記各第一掛部２２を上方から受ける第一受部２９及び前記第二掛部２４を上方から受ける第二受部３４を設けたことで、前記装置本体２の背面から前記脚部５を後方に突出させる必要をなくすことができる。【選択図】図２
2012119966.tif 000002
【特許請求の範囲】
【請求項１】
二次電池及び受電端子が設けられた装置本体と、給電端子が設けられた充電台とを有し、前記装置本体が、筐体部と、この筐体部に対して回動軸回りに回動可能で且つ前記充電台に取り付けられる脚部を有すると共に、この脚部の回動軸の軸線上に前記受電端子を設けた充電式映像表示装置において、
前記筐体部の背面側に前記脚部及び受電端子を設け、前記脚部の基端側に第一掛部を設け、前記脚部の先端側に第二掛部を設けると共に、前記充電台の正面に、前記第一掛部を上方から受ける第一受部、及び前記第二掛部を上方から受ける第二受部を設けたことを特徴とする充電式映像表示装置。
【請求項２】
前記筐体部の背面側に凹部を設けると共に、この凹部に、前記脚部及び受電端子を設けたことを特徴とする請求項１記載の充電式映像表示装置。
【請求項３】
前記第一掛部を、前記脚部の回動軸と同軸となるように設けたことを特徴とする請求項１記載の充電式映像表示装置。
【請求項４】
前記第一受部の上部に、後方ほど高くなる傾斜部を有する上向き爪部を設けると共に、前記第一掛部に、前記第一受部の爪部と係合する下向き爪部を設けたことを特徴とする請求項１記載の充電式映像表示装置。
【発明の詳細な説明】
【技術分野】
【０００１】
本発明は、比較的小型の充電式テレビやモニタ等の映像表示装置に関するものである。
【背景技術】
【０００２】
従来、この種の充電式映像表示装置としては、充電池（二次電池）が収容された液晶テレビ（装置本体）を充電器（充電台）に載置し、前記液晶テレビの被充電端子（受電端子）を前記充電器の充電端子（給電端子）に当接させることで、前記充電池を充電する小型テレビ受像機が知られている（例えば、特許文献１参照。）。そして、このような小型テレビ受像機は、前記液晶テレビを前記充電器に載置した状態であっても視聴可能に構成されている。
【０００３】
しかしながら、このような充電式映像表示装置は、装置本体と充電台の位置関係が固定されるので、充電台に装置本体を取り付けた状態で視聴する場合、画面を見る方向が固定されてしまうという問題があった。この問題を解決するものとして、本出願人は、二次電池と受電端子が設けられた装置本体と、給電端子が設けられた充電台とを有し、前記装置本体の筐体部に、回動軸回りに回動可能で且つ前記充電台に取り付けられる脚部を設けると共に、この脚部の回動軸の軸線上に前記受電端子を設けた充電式映像表示装置を出願している（特許文献２参照。）。そして、この充電式映像表示装置は、前記充電台に溝部を形成し、前記装置本体の脚部の案内部を、前記溝部の上方から挿入することで、前記装置本体を前記充電台に取り付けられるように構成されている。
【先行技術文献】
【特許文献】
【０００４】
【特許文献１】特開平０９−１２１３１７号公報
【特許文献２】実用新案登録第３１５５１８７号公報
【発明の概要】
【発明が解決しようとする課題】
【０００５】
しかしながら、このような充電式映像表示装置は、前記装置本体の脚部の案内部を前記充電台の溝部に挿入する必要があるため、前記脚部が前記筐体部から後方に突出する構造にしなければならない。このため、前記装置本体は、奥行き寸法が大きくなってしまうばかりでなく、デザイン上の制約を受けるという問題があった。また、このような充電式映像表示装置は、前記脚部の案内部を前記溝部に挿入する構造のため、前記装置本体の前記充電台への取付方向が制限されることになり、前記装置本体を前記充電台に取り付けにくいという問題もあった。更に、このような充電式映像表示装置は、前記溝部から前記脚部の案内部を取り出さなければ、前記装置本体が前記充電台から取り外されないため、前記充電台から前記装置本体を取り外す際に、この装置本体を大きく動かさなければならず、前記充電台から前記装置本体から取り外しにくいという問題もあった。
【０００６】
本発明は以上の問題点を解決し、装置本体のデザイン上の制約を小さくすることができる充電式映像表示装置を提供することを第一の目的とする。また、充電台に対する装置本体の着脱性を向上させることができる充電式映像表示装置を提供することを第二の目的とする。
【課題を解決するための手段】
【０００７】
本発明の請求項１に記載の充電式映像表示装置は、二次電池及び受電端子が設けられた装置本体と、給電端子が設けられた充電台とを有し、前記装置本体が、筐体部と、この筐体部に対して回動軸回りに回動可能で且つ前記充電台に取り付けられる脚部を有すると共に、この脚部の回動軸の軸線上に前記受電端子を設けた充電式映像表示装置において、前記筐体部の背面側に前記脚部及び受電端子を設け、前記脚部の基端側に第一掛部を設け、前記脚部の先端側に第二掛部を設けると共に、前記充電台の正面に、前記第一掛部を上方から受ける第一受部、及び前記第二掛部を上方から受ける第二受部を設けたものである。
【０００８】
また、本発明の請求項２に記載の充電式映像表示装置は、請求項１において、前記筐体部の背面側に凹部を設けると共に、この凹部に、前記脚部及び受電端子を設けたものである。
【０００９】
また、本発明の請求項３に記載の充電式映像表示装置は、請求項１において、前記第一掛部を、前記脚部の回動軸と同軸となるように設けたものである。
【００１０】
更に、本発明の請求項４に記載の充電式映像表示装置は、請求項１において、前記第一受部の上部に、後方ほど高くなる傾斜部を有する上向き爪部を設けると共に、前記第一掛部に、前記第一受部の爪部と係合する下向き爪部を設けたものである。
【発明の効果】
【００１１】
本発明の請求項１に記載の充電式映像表示装置は、以上のように構成することにより、前記装置本体を前記充電台に取り付けるために、前記脚部を突出させる必要がなくなるので、前記装置本体のデザイン上の制約を小さくすることができる。
【００１２】
また、前記筐体部の背面側に凹部を設け、この凹部に前記脚部及び受電端子を設けたことで、前記装置本体を小型化することができる。
【００１３】
また、前記第一掛部を、前記脚部の回動軸と同軸となるように設けたことにより、前記充電台に取り付けられた状態の前記装置本体の仰角を調節する際に、前記第一掛部と第一受部との係合を解除する力が過大に加わらないため、前記装置本体の仰角の調節を容易に行うことができる。
【００１４】
更に、前記第一受部の上部に、後方ほど高くなる傾斜部を有する上向き爪部を設けると共に、前記第一掛部に、前記第一受部の爪部と係合する下向き爪部を設けたことにより、前記第二掛部を第二受部に乗せた状態で、前記装置本体を後方に回動させることで、前記第一掛部の下向き爪部が前記第一受部の傾斜部に当接して摺動した後、前記上向き爪部と係合するので、前記装置本体を充電台に対して容易に取り付けることができるばかりでなく、前記上向き爪部と下向き爪部の係合が解除できる程度に前記装置本体を持ち上げることで、前記装置本体を前記充電台から容易に取り外すことができる。
【図面の簡単な説明】
【００１５】
【図１】本発明の一実施例を示す充電式映像表示装置全体の正面図である。
【図２】同、Ａ−Ｂ−Ｃ−Ｄ断面図である。
【図３】同、装置本体を回動軸回りに回動させた状態の断面図である。
【図４】同、装置本体の正面図である。
【図５】同、装置本体の背面図である。
【図６】同、装置本体の右側面図であり、（ａ）は脚部を畳んだ状態、（ｂ）は脚部を起こして設置面上に設置した状態である。
【図７】同、充電台の正面図である。
【図８】同、充電台の右側面図である。
【図９】同、装置本体の充電台への取り付けを説明する説明図である。
【図１０】同、装置本体の充電台への取り付けを説明する説明図である。
【図１１】同、装置本体の充電台への取り付けを説明する説明図である。
【図１２】同、装置本体の充電台からの取り外しを説明する説明図である。
【図１３】同、装置本体の充電台からの取り外しを説明する説明図である。
【発明を実施するための形態】
【００１６】
以下、本発明の実施形態について、図１乃至図１３に基づいて説明する。なお、図５における切断線Ａ’−Ｂ’−Ｃ’−Ｄ’は、図１の切断線Ａ−Ｂ−Ｃ−Ｄが、装置本体２の背面視でどこに対応するのかを示すものであり、Ａ’がＡに、Ｂ’がＢに、Ｃ’がＣに、Ｄ’がＤに対応する。１は本考案の充電式映像表示装置としてのテレビである。なお、本実施形態は、受信機を有するテレビであるが、他の映像ソースからの映像信号を表示するモニタ、或いは映像の再生装置を内蔵した再生機であっても良い。前記テレビ１は、装置本体２と、充電台３とを有して構成される。そして、前記装置本体２は、図示しない受信機によって放送電波を受信し、表示する。また、前記充電台３は、図示しない外部電源に接続されると共に、前記装置本体２に電力を供給する。
【００１７】
前記装置本体２は、筐体部４と脚部５とを有して構成される。前記筐体部４は、外殻体６を有する。そして、前記外殻体６の正面側に設けられた窓部７には、ＬＣＤ（液晶ディスプレイ）ユニット８が設けられる。なお、本例ではＬＣＤユニット８を用いたが、有機ＥＬディスプレイユニット等、あらゆる種類のディスプレイユニットを用いることができる。また、前記外殻体６の正面側の左右には、それぞれ開口部９が設けられる。そして、これらの開口部９には、それぞれスピーカグリル１０が設けられる。更に、これらのスピーカグリル１０の内側には、それぞれ図示しないスピーカが設けられる。一方、前記外殻体６の背面側下部には、電池室１１が設けられ、この電池室１１内に二次電池１２が収容される。なお、前記電池室１１は、電池蓋１３によって閉塞される。また、前記外殻体６の背面側には、凹部１４が設けられ、この凹部１４に前記脚部５が収容される。そして、前記脚部５は、図示しない軸受部によって、回動軸Ｘを中心に回動可能に軸支される。また、前記外殻体６の凹部１４には、一対の受電端子１５が設けられる。なお、これらの受電端子１５は、前記脚部５の基端部である基軸部１８間で且つ前記回動軸線Ｘ上に設けられる。また、前記外殻体６の下部の左右両端近傍には、一対のゴム足１６が設けられる。更に、前記外殻体６の背面側には、前記装置本体２を把持する際に指を掛けるための凹部１７が設けられる。
【００１８】
前記脚部５は、左右一対の基軸部１８と、左右一対の脚１９と連結部２０と左右一対の接地部２１とを有して構成される。前記各基軸部１８は、間隔を空けて設けられる。そして、前記各基軸部１８は、それぞれ前記回動軸Ｘに沿って同軸的に設けられる。また、前記各脚１９は、それぞれ前記各基軸部１８から直交して伸びる。また、前記連結部２０は、前記各脚１９の先端部同士を連結するように、水平に設けられる。更に、前記各接地部２１は、前記各脚１９の先端部に設けられる。なお、前記脚部５を構成する前記各基軸部１８、各脚１９、連結部２０及び各接地部２１は、合成樹脂によって一体に構成される。そして、前記各基軸部１８には、互いに向かい合うように、それぞれ第一掛部２２が設けられる。これらの第一掛部２２は、それらの後部にそれぞれ下向き爪部２３を有する。そして、前記各第一掛部２２間には、前記脚部５を構成する要素が存在しない。このため、前記凹部１４における前記各第一掛部２２間は、後方に開放した凹空間１４Ａとなる。そして、この凹空間１４Ａは、前記充電台３の後述する突出部２８が挿入可能な幅寸法を有する。また、前記受電端子１５は、前記凹空間１４Ａに位置する。一方、前記連結部２０の中央部には、第二掛部２４が設けられる。この第二掛部２４は、前記連結部２０における他の部分よりも細く形成される。更に、前記各接地部２１には、それぞれゴム足２５が設けられる。なお、前記脚部５は、その可動範囲内において、摩擦抵抗によって任意の角度で保持できるように構成される。また、前記脚部５を畳んだ状態において、その脚１９は、前記ＬＣＤユニット８の画面とほぼ平行になるように構成される。
【００１９】
また、前記充電台３は、基部２６と、起立部２７とを有して構成される。前記起立部２７の前壁２７Ａの上部には、前方に突出した突出部２８が設けられる。そして、この突出部２８は、前記凹空間１４Ａに挿入可能な幅寸法を有する。また、前記突出部２８の左右には、前記各第一掛部２２に対応して、一対の第一受部２９が形成される。これらの第一受部２９は、それらの上部に、後方ほど高くなる傾斜部３０Ａを有する上向き爪部３０を有する。また、前記突出部２８には、前記受電端子１５を案内するための一対の溝部３１が形成されており、これらの溝部３１内には、それぞれ給電端子３２が設けられる。なお、前記各給電端子３２の接点部３３は、前記充電台３に前記装置本体２が取り付けられた状態において、前記回動軸Ｘ上に設けられる。また、前記起立部２７の前壁２７Ａの中央よりもやや下方には、第二受部３４が前方に突出して設けられる。そして、この第二受部３４の前端部には、上向き爪部３５が形成される。なお、この上向き爪部３５の上方への突出高さは、前記第一掛部２２の下向き爪部２３の下方への突出高さよりも小さい。また、前記起立部２７の背面には、図示しないＡＣアダプタのプラグが接続される。更に、前記基部２６の底部には、複数のゴム足３６が設けられる。
【００２０】
次に、本実施形態の作用について説明する。まず、使用者は、前記テレビ１を使用するにあたって、前記装置本体２の二次電池１２を予め充電する。即ち、図示しない前記ＡＣアダプタを前記充電台３に接続し、前記ＡＣアダプタを同じく図示しない外部電源に接続した後、前記充電台３に前記装置本体２を接続する。
【００２１】
前記装置本体２を前記充電台３に取り付けるに当たり、まず使用者は、図９に示すように、前記装置本体２の脚部５の第二掛部２４を前記第二受部３４に乗せて、前記上向き爪部３５に掛ける。この際、前記第二掛部２４は、前記第二受部３４に乗った状態で、前記上向き爪部３５に掛かってさえいれば良い。また、この際、前記脚部５は、前記筐体部４に対し、畳まれた状態でも起こされた状態でも良い。即ち、前記装置本体２は、前記充電台３に対する取り付け姿勢の自由度が高い。この状態から、前記第二掛部２４の下端における前記第二受部３４との接触部を支点として、矢印Ｒの方向に前記装置本体２を回動させると、図１０に示すように、前記第一掛部２２の下向き爪部２３が前記第一受部２９に当接する。更に、前記装置本体２を矢印Ｒ方向に回動させると、前記下向き爪部２３は、図１１に示すように、前記第一受部２９の傾斜部３０Ａに沿って上方に移動する。即ち、この際、前記装置本体２は、上方に持ち上げられる。そして、前記第二掛部２４が前記第二受部３４から離れるので、前記装置本体２の支点は、前記下向き爪部２３の先端部となる。そして、前記下向き爪部２３が前記上向き爪部３０の上端を乗り越えると、前記下向き爪部２３、ひいては前記装置本体２が重力によって下降する。これによって、前記第一掛部２２の下向き爪部２３は、図２に示すように、前記第一受部２９の上向き爪部３０と係合する。
【００２２】
なお、前記装置本体２を充電台３に取り付ける過程において、前記装置本体２が上方に持ち上げられると、前記第二掛部２４は前記第二受部３４から離れる。そして、前記第一掛部２２の下向き爪部２３が前記第一受部２９の上向き爪部３０の上端近傍に達すると、前記第二掛部２４の下端が前記第二受部３４の上向き爪部３５の上端よりも高い位置となる。即ち、前記第二掛部２４は、前記第二受部３４から外れた状態となる。しかしながら、前述した通り、前記下向き爪部２３の先端が支点となると、この支点の前方が支点の後方よりも常に重いので、前記第二掛部２４は、その後方にある前記起立部２７の前壁２７Ａに当接して支えられる。そして、前記下向き爪部２３が前記上向き爪部３０の上端を乗り越えて、前記装置本体２が重力によって下降すると、前記第二掛部２４は再び前記第二受部３４に上方から掛けられる。即ち、前記第一掛部２２は、前記第一受部２９に上方から掛けられると共に、前記第二掛部２４は、前記第二受部３４に上方から掛けられる。このようにして、前記装置本体２は前記充電台３に取り付けられる。
【００２３】
前記装置本体２が前記充電台３に取り付けられると、前記各受電端子１５が、前記充電台３に形成された前記各溝部３１に挿入される。そして、前記各受電端子１５が前記各溝部３１に挿入されると、これらの溝部３１に設けられた給電端子３２の接点部３３が、それぞれ前記各受電端子１５に接触する。このように、前記各給電端子３２の接点部３３と前記各受電端子１５が接触することで、前記装置本体２内に収容された前記二次電池１２に電力が供給されるので、この二次電池１２が充電される。
【００２４】
このように、前記二次電池１２が充電されると、前記装置本体２を前記充電台３から取り外して使用することが可能となる。前述した通り、前記装置本体２は、その第一掛部２２が前記第一受部２９に上方から掛けられると共に、その第二掛部２４が前記第二受部３４に上方から掛けられることで、前記充電台３に取り付けられているので、上方に持ち上げることで、前記充電台３から取り外すことができる。即ち、前記装置本体２は、図１２に示すように、上方に持ち上げた後、図１３に示すように、前方に移動させることで、前記充電台３から容易に取り外される。なお、前記装置本体２は、前記下向き爪部２３が上向き爪部３０から外れる程度に持ち上げさえすれば、水平に前方に移動させても、斜め前方に移動させても、前記充電台３から取り外すことができる。即ち、前記装置本体２は、前記充電台３に対する取り外し姿勢の自由度が高い。そして、前記充電台３から取り外された前記装置本体２は、前記脚部５を任意の角度まで起こした後、前記外殻体６のゴム足１６と前記接地部２１のゴム足２５が設置面Ｓに接するように、この設置面Ｓに載置される。そして、起こされた前記脚部５の角度によって、前記装置本体２に設けられたＬＣＤユニット７、即ち画面の角度が調節される。この状態で、前記装置本体２は、放送電波を受信し、前記ＬＣＤユニット７の画面に映像を表示することができる。
【００２５】
なお、前記装置本体２は、前記充電台３に取り付けられた状態のまま使用することもできる。即ち、前記装置本体２は、前記各受電端子１５及び各給電端子３２が接続されたまま、放送電波を受信し、前記ＬＣＤユニット７の画面に映像を表示することができる。この際、前記各給電端子３２及び各受電端子１５を介して供給される電力は、前記二次電池１２には供給されない。
【００２６】
そして、このように前記装置本体２が前記充電台３に取り付けられた状態で、前記脚部５に対して前記回動軸Ｘを中心に前記筐体部４を回動させることで、前記装置本体２は、そのＬＣＤユニット７の画面の仰角を調節することができる。この際、前述したように、前記各受電端子１５が、前記脚部５の回動軸Ｘ上に設けられると共に、前記各給電端子３２の接点部３３も、おおよそ前記回動軸Ｘ上に位置するので、前記脚部５に対して前記回動軸Ｘを中心に前記筐体部４を回動させたとしても、前記各受電端子１５と各給電端子３２の接点部３３との位置関係は殆ど変化しない。従って、前記ＬＣＤユニット７の画面の角度（仰角）を調節しても、前記各受電端子１５と前記各給電端子３２の接点部３３は接触し続ける。なお、図示しないが、前記装置本体２は、前記ＬＣＤユニット７の画面の仰角がマイナスとなるように伏せることもできる。従って、前記充電台３を使用者の視点よりも高い位置に置いても、前記装置本体２は、その画面に表示される映像を視聴しやすいようにすることができる。
【００２７】
なお、前記第一掛部２２を、前記脚部５の脚１９に設けることも、理論的には可能である。しかしながら、この位置に前記第一掛部２２が設けられると、前記装置本体２の筐体部４を回動させる場合、作用点である前記第一掛部２２が、支点となる前記第二掛部２４に近く、力点となる筐体部４の上部から離れるので、前記第一掛部２２と第一受部２９との係合箇所に過大な力が加わり、これらの係合が外れる虞がある。しかしながら、本実施形態では、作用点である前記第一掛部２２を、可能な限り支点となる前記第二掛部２４から離し、力点となる筐体部４の上部に近付けたので、前記第一掛部２２と第一受部２９との係合箇所に過大な力が加わらず、これらの係合が外れにくくすることができる。
【００２８】
以上のように、本発明は、装置本体２と充電台３を有して構成される充電式映像表示装置としてのテレビ１であって、前記装置本体２が、二次電池１２を内蔵すると共に後部に受電端子１５を有した筐体部４と、この筐体部４の背面側に、回動軸Ｘ回りに回動可能で且つ前記充電台３に取り付けられる脚部５を有し、前記回動軸Ｘ上に前記受電端子１５を設け、前記充電台３が給電端子３２を有すると共に、前記脚部５の基端側に第一掛部２２を設け、前記脚部５の先端側に第二掛部２４を設け、前記充電台３の起立部２７の正面である前壁２７Ａに、前記第一掛部２２を上方から受ける第一受部２９及び前記第二掛部２４を上方から受ける第二受部３４を設けたことで、前記装置本体２を前記充電台３に取り付けるために、前記脚部５を後方に突出させる必要がなくなるので、前記装置本体２のデザイン上の制約を小さくすることができるものである。
【００２９】
また、本発明は、前記筐体部４の背面側に凹部１４を設け、この凹部１４に前記脚部５及び受電端子１５を設けたことで、前記脚部５を後方に突出させないようにして、前記装置本体２を小型化することができるものである。
【００３０】
また、本発明は、前記第一掛部２２を、前記脚部５の回動軸Ｘと同軸となるように設けたことにより、前記充電台３に取り付けられた状態の前記装置本体２の仰角を調節する際に、前記第一掛部２２と第一受部２９との係合を解除する力が過大に加わらないため、前記装置本体２の仰角の調節を容易に行うことができるものである。
【００３１】
更に、本発明は、前記第一受部２９の上部に、後方ほど高くなる傾斜部３０Ａを有する上向き爪部３０を設けると共に、前記第一掛部２２に、前記第一受部２９の爪部３０と係合する下向き爪部２３を設けたことにより、前記第二掛部２４を第二受部３４に乗せた状態で、前記装置本体２を後方に回動させることで、前記下向き爪部２３が前記傾斜部３０Ａに当接して摺動した後、前記上向き爪部３０と係合するので、前記装置本体２を充電台３に対して容易に取り付けることができるばかりでなく、前記上向き爪部３０と下向き爪部２３の係合が解除できる程度に前記装置本体２を持ち上げることで、前記装置本体２を前記充電台３から容易に取り外すことができるものである。
【００３２】
なお、本発明は以上の実施形態に限定されるものではなく、発明の要旨の範囲内で種々の変形実施が可能である。例えば、上記実施形態では、脚部が装置本体の背面側に設けられた凹部に収容されるが、前記脚部を前記装置本体の背面から突出させた構造に対して適用することも可能である。また、上記実施形態では、第二掛部を第二受部に掛けた後、装置本体を回動させて、第一掛部を第一受部に掛けるように構成したが、第一掛部を第一受部に掛けた後、装置本体を逆方向に回動させて、第二掛部を第二受部に掛けるように構成しても良い。更に、係合が保てるのであれば、前記第一掛部を前記脚部の回動軸以外の部分に設けても良い。
【符号の説明】
【００３３】
１  テレビ（充電式映像表示装置）
２  装置本体
３  充電台
４  筐体部
５  脚部
１２  二次電池
１４  凹部
１５  受電端子
１８  基軸部（基端部）
２２  第一掛部
２３  下向き爪部
２４  第二掛部
２７Ａ  前壁（充電台正面）
２９  第一受部
３０  上向き爪部
３０Ａ  傾斜部
３２  給電端子
３４  第二受部
３５  上向き爪部
Ｘ  回動軸
【図１】
2012119966.tif 000003
【図２】
2012119966.tif 000004
【図３】
2012119966.tif 000005
【図４】
2012119966.tif 000006
【図５】
2012119966.tif 000007
【図６】
2012119966.tif 000008
【図７】
2012119966.tif 000009
【図８】
2012119966.tif 000010
【図９】
2012119966.tif 000011
【図１０】
2012119966.tif 000012
【図１１】
2012119966.tif 000013
【図１２】
2012119966.tif 000014
【図１３】
2012119966.tif 000015